(57)【要約】      （修正有）【課題】これまで大部分が焼却あるいは廃棄処分されていた未利用の樹枝、樹幹、根株、間伐材、流木等を有効利用して有用な植物生育基盤材として有効利用する手法を提案する。【解決手段】未分解植物性破砕チップ材１をふるい分け選別もしくは二次破砕して５０ｍｍ以下の植物性破砕チップ材４を選別し、これに珪藻土１４もしくはスギ、ヒノキ、ヒバ等の皮層破砕チップ細切片もしくは現地付近で採取された埋土種子を含む表層土を混入搬送し、それに水もしくはポリアクリルアミド系もしくはオレフィン系高分子水溶液９を混合、スラリー泥状基材１２にして吹付けて植物生育基盤を造成する。【選択図】    図１
2005009187.tif 000002
【特許請求の範囲】
【請求項１】
傾斜面等に吹付けられる植生基盤材で、未分解の植物性破砕チップ材および／もしくは未分解の植物性破砕チップ材を含む基盤材に珪藻土を混入する事を特徴とする植物生育基盤材。
【請求項２】
傾斜面等に吹付けられる植生育基盤材で、未分解の植物性破砕チップ材および／もしくは植物性破砕チップ材を含む基盤材に、スギ、ヒノキ、ヒバ等の皮層を破砕チップ化した皮層チップ材もしくは皮層細切片を混入する事を特徴とする植物生育基盤材。
【請求項３】
請求項１ないし請求項２記載の植生基盤材にフライアッシュ、クリンカアッシュ、ペーパースラッジ焼成灰の少なくともいずれか一種および／もしくはこれらを主原料とする混合物を混入する事を特徴とする植物生育基盤材。
【請求項４】
傾斜面等に吹付けられる植生基盤材で、未分解の植物性破砕チップ材および／もしくは植物性破砕チップ材を含む基盤材（１）に、埋土種子等を含む表層土（２）及びフライアッシュ、クリンカアッシュ、ペーパースラッジ焼成灰の少なくともいずれか１種および／もしくはそれらを主原料とする混合物（３）を混入する事を特徴とする植物生育基盤材。
【請求項５】
請求項１〜請求項４記載の植物生育基盤材にデリバリーホース部もしくは吹付ノズル部もしくはノズルの付近で、水もしくはポリアクリルアミド系もしくはオレフィン系高分子の水溶液を混入し、スラリー状にして吹付ける事を特徴とする植生基盤の造成方法。
【請求項６】
未分解植物性破砕チップ材を二次破砕もしくはふるい分け選別を行う工程１と、これに請求項１〜請求項４記載の基盤材を混入する工程２と、さらにこれに水分を加えて混合撹拌する工程３と、吹付用デリバリーホースを用いてスラリー泥状基材を吹付ける工程４を有する施工方法あるいは水分を加えずにデリバリーホースでエアー搬送し、デリバリーホースの途中もしくはノズル部もしくはその付近で水分を加える工程５を有する事を特徴とする施工方法。
【発明の詳細な説明】
【０００１】
【発明が属する技術分野】
本発明は現在その大部分が焼却処分あるいは廃棄処分されている未利用の根株、樹枝、樹幹、間伐材、流木等を破砕チップ化し、植物生育基盤を造成して緑化を図ろうとするものであり、有用な植物性資源を有効に活用して、自然の再生を図る技術を提供するものである。
【０００２】
【従来の技術】
植生基盤を傾斜面に造成する手法として、傾斜面に金網等をアンカーボルトで固定、張設し、その上にバーク堆肥、ピートモス等の有機質基材やパーライト、バーミキュライト、山砂等の無機質材料、もしくはこれらの混合物に接合材として、高分子系樹脂もしくはセメント等を混合吹付ける工法が知られている。
【０００３】
【発明が解決しようとする課題】
これまで主に植物生育基盤造成原料として用いられていた完熟発酵したバーク堆肥やピートモスは、それ自体が有用な資源であり、殊にピートモスは近年採掘による自然破壊が問題となっている。一方、伐採された未利用の樹枝、樹幹、根株、流木、間伐材等は大半が現地で廃棄処分されたり焼却処分されており、ＣＯ２発生源なっており、これらバイオマス資源の有効活用技術の開発が急務となっている。
【０００４】
しかし、これらの未利用植物性材料は通常タブグラインダー等を用いて一次破砕されるが、その大きさは１０〜３０ｃｍ以下程度とバラツキがあり、そのままでは利用は困難であり、ふるい分け等が必要である。
又、これらの破砕チップ材は、空隙が大きく網目状もしくはコルク状で透水性、通気性には優れているが、保水性は極めて乏しく、植物の発芽生育にとっては困難な生育条件となっている。又、これがバクテリア等によって分解される際は、高温を発生したり、フェノール酸や炭酸ガスを発生し、植物の発芽や生育の障害となる。
【０００５】
【課題を解決するための手段】
本発明は以上の問題を解決して、植物性廃棄物の焼却を少なくすると共に、その有効利用を促進する為、剪定枝、間伐材、根株、流木、未利用樹幹、樹枝等を一次破砕により３００ｍｍ以下となる様、タブグラインダー等により破砕チップ化し、さらに振動ふるい等により５０ｍｍ以下のチップ材をふるい分けを行い選別する。
【０００６】
又、一次破砕された植物性破砕チップ材を２次破砕によって５０ｍｍ以下程度になる様再破砕チップ化することもできる。こうして選別あるいは破砕された材料に容積比５〜５０％程度の珪藻土を混入し、モルタル吹付機等によって混合撹拌する。混合撹拌される材料には、必要に応じてさらに種子、肥料、微量要素等が混入され、デリバリーホースによってエア搬送する。
【０００７】
さらにノズル部あるいはノズル付近で、ポリアクリルアミド系もしくはオレフィン系高分子水溶液を加えてスラリー泥状基材として、ノズル部より傾斜面等に吹付けられる。この珪藻土は０．１〜０．２ミクロンの超微細多孔質構造となっており、木炭の数千倍といわれる孔隙を有し、その孔隙に水分が貯留され、保水性に優れた植物生育基盤の造成が可能となる。さらにポリアクリルアミド系もしくはオレフィン系高分子水溶液の添加によって珪藻土粒子はイオン結合により、団粒構造を形成して、通気性、保水性をさらに向上させる。
【０００８】
又、フライアッシュ、クリンカアッシュ、ペーパースラッジ焼却灰もしくはこれらの混合物を混入する事によって、エトリンガイドの作用によって地面に固定、固着され、安定性を増大して良好な植物生育基盤を形成する。
【０００９】
さらに異なる手法として、前記選別あるいは２次破砕された植物性破砕チップ材に、スギ、ヒノキ、ヒバ等の皮層を破砕して得られる皮層チップあるいは細切片を容積比５〜５０％程度混入し、モルタル吹付機ガン体内で混合撹拌し、デリバイリーホースによってエア搬送し、ノズル部あるいはノズル付近でポリアクリルアミド系もしくはオレフィン系高分子水溶液を混入し、スラリー状にしてノズル部より傾斜地面等に吹付け、植生基盤を造成する。この時、植物性破砕チップ材と共に混合されるスギ、ヒノキ、ヒバ等の皮層チップ材あるいは細切片は繊維マット状を形成し、この繊維マットの繊維と繊維の間に水分を貯留して植物生育基盤の保水性を向上させる。又、この混合物にポリアクリルアミド系もしくはオレフィン系高分子水溶液を添加する事によって、皮層細切片の繊維材はイオン結合して強固な網目状の生育基盤を形成する。
【００１０】
以上の様に、植物性破砕チップ材に混合される珪藻土あるいはスギ、ヒノキ、ヒバ等の破砕チップもしくは細切片によって生育基盤の保水性は格段に向上し、傾斜面での植物の発芽、初期生育にとって良好な生育基盤を形成する。
【００１１】
又、珪藻土の孔隙はガラス質（珪酸質）である為、バクテリア等の分解菌がすみつき難く、そのため植物性破砕チップ材の分解はゆっくりと進行し、植物生育に支障となるガス等の発生や窒素飢餓の発生を抑制する。同様にスギ、ヒノキ、ヒバ等の破砕チップもしくは細切片は、それに含まれる油精分の抗菌性によってバクテリアの繁殖が抑えられ、同様に分解はゆっくりと進行し、生育障害等を引き起こすことはない。すなわち、より自然に近い形でゆっくりと分解され、長期にわたって養分を供給する。この様な基盤では草本類、特に牧草類の生育には適さないが、肥料木や先駆植物あるいは付近に自生する郷土植物等の発芽生育には良好な生育環境を提供する。すなわち、飛来あるいは鳥類によって運ばれた植物種子は、凹凸の多い植物性破砕チップで形成される生育基盤内に定着し、さらに団粒構造あるいは網目状の構造の生育基盤の保水能によって発芽、生育が促進される。
又、植物性破砕チップの腐熟、分解はゆっくりと長期間にわたって進行する為、発芽障害や生育障害を起こす事はなく、より自然に近い形状で付近山野に自生する自然植生を再生する事ができる。
又、植物性破砕チップ材と共に施工場所付近で採取される埋土種子等を含む表層土を５〜３０％程度混入し、さらにフライアッシュ、クリンカアッシュ、ペーパースラッジ焼成灰および／もしくはこれらを主原料とする混合物を加え、モルタル吹付機内で混合撹拌し、必要に応じてさらに種子、肥料、微量要素等を加えて、デリバリーホースでエアー搬送し、デリバリーホースの途中もしくはノズル付近で水又はポリアクリルアミド系もしくはオレフィン系高分子の水溶液を加え、スラリー泥状基材として吹付ける事によって、付近の山野に自生する植物の導入がより確実に行われ、自然の再生を促進する事ができる。
【００１２】
【実施例１】
以下本発明の実施例について図１により説明する。未利用の樹枝、樹幹、間伐材、伐採木、根株等１５は１箇所に集積され、タブグラインダー等１６によって概ね１００ｍｍ〜３００ｍｍ以下となる様に破砕される。この破砕材を二次破砕機によって概ね５０ｍｍ程度以下となる様、２次破砕を行うか、あるいはこの１次破砕材１をベルトコンベア２により、振動ふるい３に投入し、概ね５０ｍｍ以下の破砕チップ材４を選別する。選別された植物性破砕チップ材４はホッパー６に投入され定量的にモルタル吹付機７に投入される。この時、珪藻土５が混入され、モルタルガン内で混合撹拌される。この珪藻土５は容積比５〜５０％程度であるが、好適には１０〜３０％である。これに加えてフライアッシュ、クリカンアッシュもしくはペーパースラッジ焼却灰もしくはこれらを主原料とする混合物１４を加える事によって、より安定した固結度の高い生育基盤が造成され、１：１．０勾配（４５°）位までの傾斜面では金網張等の緑化基礎工は不用となる。
【００１３】
さらに、この撹拌混合基材には種子、肥料、土壌改良剤、微量要素等が必要に応じて混合され、デリバリーホース８によりエアー搬送される。これに水分もしくはポリアクリルアミド系もしくはオレフィン系高分子の水溶液９をポンプにより供給ホース１０により供給され、ノズル付近で混合して、スラリー泥状基材１２としてノズル部１１より、傾斜面１３に吹付ける。
【００１４】
この様にして、吹付け形成された植物生育基盤は通気性、透水性に優れると共に、保水性にも優れ、植物の発芽初期生育に効果的であり、その団粒構造によって吸水能も高い。
又、フライアッシュ等のアッシュ系材料との混合によって、より安定した生育基盤の造成が可能であり、１：０．８（５１°）程度の傾斜面では金網張等の基礎工の設置が省略できる。
【００１５】
【実施例２】
異なる実施例を模式図図２により説明する。本実施例でも実施例１同様に一次破砕機１６により３００ｍｍ以下程度になる様、剪定枝、間伐材、未利用の樹枝、樹幹、根株、流木、植物性材料１５を破砕チップ化する。これをチッパー等の二次破砕機１７によって概ね５０ｍｍ以下となるよう二次破砕を行い、これを定量供給ホッパー６に投入し、定量的にモルタルガン７に供給する。
これに加えてスギ、ヒノキ、ヒバ等の破砕チップ材（細切片）長１０〜１００ｍｍ、幅３０ｍｍ以下、径０．３〜１０ｍｍ、好ましくは長さ２０〜５０ｍｍ、径０．５〜５ｍｍ程度に破砕されたスギ、ヒノキ、ヒバの破砕チップもしくは細切片１８を容積比５〜５０％、好ましくは２０〜３０％混合する。さらに必要に応じて種子、肥料、土壌改良剤、微量要素等１９およびフライアッシュ、クリンカアッシュ、ペーパースラッジ、焼却灰もしくは、これらの混合物１４を混合撹拌し、デリバリーホース８によってエア搬送する。さらにデリバリーホース８のノズル付近で水もしくはポリアクリルアミド系もしくはオレフィン系高分子水溶液９を混入し、スラリー泥状基材１２として傾斜面１３に吹付ける。
【００１６】
本発明によれば、全ての材料が植物性廃棄物に起因する植物性材料であり、より自然に近い生育基盤を形成する。又、形成された生育基盤は弾力性に富み、通気性、透水性に優れると共に、そのスギ、ヒノキ、ヒバ等の破砕チップ細切片の繊維が形成するマット内に水分を保留し保水効果も高める。
【００１７】
【発明の効果】
本発明によって、これまでその大部分が焼却処分あるいは廃棄処分されていた未利用樹枝、樹幹、根株、間伐材、流木、剪定枝等は有用な資源として傾斜面等の緑化生育基盤材として充分活用することが可能であり、特に本発明によって傾斜面での植物の発芽生育にとって必須条件とされる水分の補給に大きな効果を発揮し、保水性に優れた植物生育基盤が造成される。さらに添加される材料の特性に、よりその抗菌作用で植物性破砕チップ材の分解はゆっくりと長期間にわたって進行する為、植物の発芽、生育に悪影響を与える事なく栄養分を長期間供給し、より自然に近い形で腐熟が進み、付近山野に自生する郷土植物の発芽生育に好適な環境を提供し、より効果的に自然を再生する事ができる。
又、モルタル吹付機等による吹付けに際しては、圧縮空気により５〜６ｋｇ／ｃｍ２程度の圧力によって搬送吹付けられるため、植物性破砕チップ材の飛散を防止する緩衝材としても効果的である。
【図面の簡単な説明】
【図１】実施例１を示した説明図である。
【図２】実施例２を示した説明図である。
【符号の説明】
１    一次破砕チップ材
２    ベルトコンベア
３    選別フルイ
４    ５０ｍｍ以下に選別された破砕チップ材
５    珪藻土
６    定量供給ホッパー
７    モルタル吹付機
８    デリバリーホース
９    水又は水溶液タンク
１０  水又は水溶液供給ホース
１１  ノズル
１２  スラリー泥状基材
１３  傾斜面
１４  アッシュ系基材
１５  未利用樹枝、樹幹、根株等
１６  一次破砕機
１７  二次破砕機
１８  スギ、ヒノキ、ヒバの皮層破砕チップ
１９  種子、肥料、土壌改良剤等
【図１】
2005009187.tif 000003
【図２】
2005009187.tif 000004